(57)【要約】  しかるべき置換フェノール系化合物は、１，２−エポキシドの添加で、あるいは１，２−エポキシドの無添加で単一の安定剤成分として使用される場合、ｎ−臭化プロピル（ＮＰＢ）の安定化において極めて有効である。標準の商品的に重要な６０℃安定性試験においては、本発明にしたがって使用される代表的な置換フェノール系化合物は、他の安定剤添加物成分を含有しないＮＰＢ中で約５０ｐｐｍ（ｗｔ／ｗｔ）以下のレベルでしか存在しないにも拘わらず、ＮＰＢのこの試験への合格を可能とすることができる。事実、１ｐｐｍの少ない量でも種々の置換フェノール系化合物と共に有効であることが見出された。加えて、本発明の好ましい安定剤の１つの２，６−ジ−ｔｅｒｔ−ブチル−ｐ−クレゾールは、ＮＰＢよりも高沸点であるにも拘わらず、少なくとも１〜３０ｐｐｍ（ｗｔ／ｗｔ）の範囲では僅かな量の残渣しか残さないことが見出された。また、本発明のしかるべき他の好ましい安定剤は、少なくとも１つの１，２−エポキシド、特にブチレンオキシドと共に使用する場合、６０℃安定性試験への合格にいて相乗的に改善された安定性をもたらすことができることも見出された。【特許請求の範囲】
【請求項１】
ベンゼン環に直接結合した１個あるいは２個のヒドロキシル基と、合計６〜１６個の炭素原子を分子中に有する、安定化量の約５０ｐｐｍ（ｗｔ／ｗｔ）以下の少なくとも１つの単核フェノール系化合物であって、前記少なくとも１つのフェノール系化合物がベンゼン環の芳香族不飽和結合と別の不飽和結合を含まないものがブレンドされたｎ−臭化プロピルを含んでなる溶剤組成物。
【請求項２】
前記量が約５ｐｐｍ（ｗｔ／ｗｔ）以下である請求項１に記載の組成物。
【請求項３】
前記量が約２ｐｐｍ（ｗｔ／ｗｔ）以下である請求項１に記載の組成物。
【請求項４】
単核フェノール系化合物が前記組成物の形成において使用される単一の安定剤であるか、あるいは単核フェノール系化合物類が前記組成物の形成において使用される単一の安定剤類である請求項１〜３に記載の組成物。
【請求項５】
安定化量のＡ）ベンゼン環に直接結合した１個あるいは２個のヒドロキシル基と、合計６〜１６個の炭素原子を分子中に有する、約５０ｐｐｍ（ｗｔ／ｗｔ）以下の少なくとも１つの単核フェノール系化合物であって、前記少なくとも１つのフェノール系化合物がベンゼン環の芳香族不飽和結合と別の不飽和結合を含まないもの；と
Ｂ）１０〜約１０００ｐｐｍ（ｗｔ／ｗｔ）の範囲の少なくとも１つの１，２−エポキシド
がブレンドされたｎ−臭化プロピルを含んでなる溶剤組成物。
【請求項６】
前記組成物の形成に使用されるＡ）の量が約３０ｐｐｍ（ｗｔ／ｗｔ）以下である請求項５に記載の組成物。
【請求項７】
前記組成物の形成に使用されるＡ）の量が約５ｐｐｍ（ｗｔ／ｗｔ）以下である請求項５に記載の組成物。
【請求項８】
前記組成物の形成に使用されるＡ）の量が約２ｐｐｍ（ｗｔ／ｗｔ）以下である請求項５に記載の組成物。
【請求項９】
前記組成物の形成に使用されるＢ）の量が約１００〜約５００ｐｐｍ（ｗｔ／ｗｔ）の範囲にある請求項５〜８のいずれかに記載の組成物。
【請求項１０】
式
【化１】
2008519093.tif 000009
（式中、
Ａ）Ｒ１およびＲ２は両方とも水素原子であり、そしてＲ３は１〜５個の範囲の（好ましくは１〜３個の範囲の）炭素原子を含有するアルコキシ基であるか；あるいは
Ｂ）Ｒ１はヒドロキシル基であり、Ｒ２は水素原子であり、そしてＲ３は１〜５個の範囲の炭素原子を含有するアルキル基（好ましくはｔｅｒｔ−ブチルまたはｔｅｒｔ−アミル）であるか；あるいは
Ｃ）Ｒ１およびＲ２は両方とも、独立に、アルキル基であって、Ｒ１およびＲ２中の炭素原子の全数が５〜１０個の範囲にあり、Ｒ１およびＲ２の少なくとも１つが三級アルキル基であるものであり、そしてＲ３は水素原子であるか；あるいは
Ｄ）Ｒ１およびＲ２は両方とも、独立に、アルキル基であって、Ｒ１およびＲ２中の炭素原子の全数が５〜１０個の範囲にあり、Ｒ１およびＲ２の少なくとも１つが三級アルキル基であるアルキル基であるものであり、そしてＲ３は１あるいは２個の炭素原子を含有する）
の、安定化量の約５０ｐｐｍ（ｗｔ／ｗｔ）までの、１つ以上の置換フェノール系化合物がブレンドされた溶剤組成物。
【請求項１１】
前記１つ以上の置換フェノール系化合物が請求項１０中の式の化合物であり、式中、Ｒ１およびＲ２は両方とも水素原子であり、そしてＲ３は１〜５個の範囲の炭素原子を含有するアルコキシ基である請求項１０に記載の組成物。
【請求項１２】
前記１つ以上の置換フェノール系化合物が請求項１０中の式の化合物であり、式中、Ｒ１はヒドロキシル基であり、Ｒ２は水素原子であり、そしてＲ３は１〜５個の範囲の炭素原子を含有するアルコキシ基である請求項１０に記載の組成物。
【請求項１３】
前記１つ以上の置換フェノール系化合物が請求項１０中の式の化合物であり、式中、Ｒ１およびＲ２は、両方とも、独立に、アルキル基であって、Ｒ１およびＲ２中の炭素原子の全数が５〜１０個の範囲にあり、Ｒ１およびＲ２の少なくとも１つが三級アルキル基であるものであり、そしてＲ３は水素原子である請求項１０に記載の組成物。
【請求項１４】
前記１つ以上の置換フェノール系化合物が請求項１０中の式の化合物であり、式中、Ｒ１およびＲ２は、両方とも、独立に、アルキル基であって、Ｒ１およびＲ２中の炭素原子の全数が５〜１０個の範囲にあり、Ｒ１およびＲ２の少なくとも１つが三級アルキル基であるものであり、そしてＲ３は１または２個の範囲の炭素原子を含有するアルコキシ基である請求項１０に記載の組成物。
【請求項１５】
前記１つ以上の置換フェノール系化合物が４−メトキシフェノール、４−ｔｅｒｔ−ブチル−１，２−ジヒドロキシベンゼン、２，６−ジ−ｔｅｒｔ−ブチルフェノール、２，６−ジ−ｔｅｒｔ−ブチル−４−メチルフェノールまたはこれらの置換フェノール系化合物の任意の２つ以上の組み合わせ物である請求項１０に記載の組成物。
【請求項１６】
前記１つ以上の置換フェノール系化合物が４−メトキシフェノールである請求項１０に記載の組成物。
【請求項１７】
前記１つ以上の置換フェノール系化合物が４−ｔｅｒｔ−ブチル−ｌ，２−ジヒドロキシベンゼンである請求項１０に記載の組成物。
【請求項１８】
前記１つ以上の置換フェノール系化合物が２，６−ジ−ｔｅｒｔ−ブチルフェノールである請求項１０に記載の組成物。
【請求項１９】
前記１つ以上の置換フェノール系化合物が２，６−ジ−ｔｅｒｔ−ブチル−４−メチルフェノールである請求項１０に記載の組成物。
【請求項２０】
前記安定化量が約３０ｐｐｍ（ｗｔ／ｗｔ）以下である請求項１０〜１９のいずれかに記載の組成物。
【請求項２１】
前記安定化量が約５ｐｐｍ（ｗｔ／ｗｔ）以下である請求項１０〜１９のいずれかに記載の組成物。
【請求項２２】
前記安定化量が約２ｐｐｍ（ｗｔ／ｗｔ）以下である請求項１０〜１９のいずれかに記載の組成物。
【請求項２３】
前記安定化量が約１ｐｐｍ（ｗｔ／ｗｔ）以下である請求項１０〜１９のいずれかに記載の組成物。
【請求項２４】
前記組成物が約１０〜約１０００ｐｐｍ（ｗｔ／ｗｔ）の範囲の１つ以上の１，２−エポキシドを更に含んでなり、そして前記１つ以上の置換フェノール系化合物および前記１つ以上の１，２−エポキシドが前記組成物中で単一の（ｓｏｌｅ）安定化成分である請求項１０〜１９のいずれかに記載の組成物。
【請求項２５】
前記１つ以上の１，２−エポキシドが約８個までの炭素原子の１つ以上のアルキレンオキシドおよび／またはシクロアルキレンオキシドである請求項２４に記載の組成物。
【請求項２６】
前記１つ以上の１，２−エポキシドが約８個までの炭素原子の１つ以上のグリシジルエーテルおよび／またはグリシジルエステルである請求項２４に記載の組成物。
【請求項２７】
前記範囲がほぼ約１００〜約５００ｐｐｍ（ｗｔ／ｗｔ）である請求項２４に記載の組成物。
【請求項２８】
主成分としてｎ−臭化プロピルを含んでなる溶剤組成物を安定化する方法であって、
式
【化２】
2008519093.tif 000010
（式中、
Ａ）Ｒ１およびＲ２は両方とも水素原子であり、そしてＲ３は１〜５個の範囲の（好ましくは１〜３個の範囲の）炭素原子を含有するアルコキシ基であるか；あるいは
Ｂ）Ｒ１はヒドロキシル基であり、Ｒ２は水素原子であり、そしてＲ３は１〜５個の範囲の炭素原子を含有するアルキル基（好ましくはｔｅｒｔ−ブチルまたはｔｅｒｔ−アミル）であるか；あるいは
Ｃ）Ｒ１およびＲ２は両方とも、独立に、アルキル基であって、Ｒ１およびＲ２中の炭素原子の全数が５〜１０個の範囲にあり、Ｒ１およびＲ２の少なくとも１つが三級アルキル基であるものであり、そしてＲ３は水素原子であるか；あるいは
Ｄ）Ｒ１およびＲ２は両方とも、独立に、アルキル基であって、Ｒ１およびＲ２中の炭素原子の全数が５〜１０個の範囲にあり、Ｒ１およびＲ２の少なくとも１つが三級アルキル基であるものであり、そしてＲ３は１あるいは２個の炭素原子を含有するアルキル基である）
の安定化量の約５０ｐｐｍ（ｗｔ／ｗｔ）までの１つ以上の置換フェノール系化合物を前記溶剤組成物とブレンドすることを含んでなる方法。
【請求項２９】
前記安定化量が約３０ｐｐｍ（ｗｔ／ｗｔ）以下である請求項２８に記載の方法。
【請求項３０】
前記安定化量が約５ｐｐｍ（ｗｔ／ｗｔ）以下である請求項２８に記載の方法。
【請求項３１】
前記安定化量が約２ｐｐｍ（ｗｔ／ｗｔ）以下である請求項２８に記載の方法。
【請求項３２】
前記安定化量が約１ｐｐｍ（ｗｔ／ｗｔ）以下である請求項２８に記載の方法。
【請求項３３】
前記１つ以上の置換フェノール系化合物が４−メトキシフェノール、４−ｔｅｒｔ−ブチル−１，２−ジヒドロキシベンゼン、２，６−ジ−ｔｅｒｔ−ブチルフェノール、２，６−ジ−ｔｅｒｔ−ブチル−４−メチルフェノールまたはこれらの置換フェノール系化合物の任意の２つ以上の組み合わせ物である請求項２８〜３２のいずれかに記載の方法。
【請求項３４】
約１０〜約１０００ｐｐｍ（ｗｔ／ｗｔ）の範囲の１つ以上の１，２−エポキシドを前記溶剤組成物とブレンドすることを更に含んでなり、前記１つ以上の置換フェノール系化合物と前記１つ以上の１，２−エポキシドが前記溶剤組成物中で単一の安定化成分である請求項２８〜３２のいずれかに記載の方法。
【請求項３５】
ｎ−臭化プロピル組成物の安定化での使用に特に適合されている添加物組成物であって、
（ｉ）式
【化３】
2008519093.tif 000011
（式中、
Ａ）Ｒ１およびＲ２は両方とも水素原子であり、そしてＲ３は１〜５個の範囲の（好ましくは１〜３個の範囲の）炭素原子を含有するアルコキシ基であるか；あるいは
Ｂ）Ｒ１はヒドロキシル基であり、Ｒ２は水素原子であり、そしてＲ３は１〜５個の範囲の炭素原子を含有するアルキル基（好ましくはｔｅｒｔ−ブチルまたはｔｅｒｔ−アミル）であるか；あるいは
Ｃ）Ｒ１およびＲ２は両方とも、独立に、アルキル基であって、Ｒ１およびＲ２中の炭素原子の全数が５〜１０個の範囲にあり、Ｒ１およびＲ２の少なくとも１つが三級アルキル基であるものであり、そしてＲ３は水素原子であるか；あるいは
Ｄ）Ｒ１およびＲ２は両方とも、独立に、アルキル基であて、Ｒ１およびＲ２中の炭素原子の全数が５〜１０個の範囲にあり、Ｒ１およびＲ２の少なくとも１つが三級アルキル基であるものであり、そしてＲ３は１あるいは２個の炭素原子を含有するアルキル基である）
の１つ以上の置換フェノール系化合物；と
（ｉｉ）１つ以上の１，２−エポキシド
を含んでなり、（ｉｉ）：（ｉ）の重量比が約０．２：１〜約２５００：１の範囲にあり；そして（ｉ）および（ｉｉ）が前記添加物組成物中の単一の安定剤成分である組成物。
【請求項３６】
前記重量比が約２０：１〜約５００：１の範囲にある請求項３５に記載の添加物組成物。
【請求項３７】
溶剤が請求項１〜３、５〜８あるいは１０〜１９のいずれかに記載の組成物であることを特徴とする、溶剤により基板を冷時清浄化する方法。
【請求項３８】
溶剤が請求項４に記載の組成物であることを特徴とする、溶剤により基板を冷時清浄化する方法。
【請求項３９】
溶剤が請求項９に記載の組成物であることを特徴とする、溶剤により基板を冷時清浄化する方法。
【請求項４０】
溶剤が請求項２０に記載の組成物であることを特徴とする、溶剤により基板を冷時清浄化する方法。
【請求項４１】
溶剤が請求項２１に記載の組成物であることを特徴とする、溶剤により基板を冷時清浄化する方法。
【請求項４２】
溶剤が請求項２２に記載の組成物であることを特徴とする、溶剤により基板を冷時清浄化する方法。
【請求項４３】
溶剤が請求項２３に記載の組成物であることを特徴とする、溶剤により基板を冷時清浄化する方法。
【請求項４４】
溶剤が請求項２４に記載の組成物であることを特徴とする、溶剤により基板を冷時清浄化する方法。
【請求項４５】
溶剤が請求項２５に記載の組成物であることを特徴とする、溶剤により基板を冷時清浄化する方法。
【請求項４６】
溶剤が請求項２６に記載の組成物であることを特徴とする、溶剤により基板を冷時清浄化する方法。
【請求項４７】
溶剤が請求項２７に記載の組成物であることを特徴とする、溶剤により基板を冷時清浄化する方法。
【請求項４８】
請求項１〜３、５〜８あるいは１０〜１９のいずれかに記載の組成物を溶剤組成物として使用することを含んでなる、ｎ−臭化プロピルを含んでなる安定化溶剤組成物の蒸発時に残る残渣の量を低減する方法。
【請求項４９】
請求項４に記載の組成物を溶剤組成物として使用することを含んでなる、ｎ−臭化プロピルを含んでなる安定化溶剤組成物の蒸発時に残る残渣の量を低減する方法。
【請求項５０】
請求項９に記載の組成物を溶剤組成物として使用することを含んでなる、ｎ−臭化プロピルを含んでなる安定化溶剤組成物の蒸発時に残る残渣の量を低減する方法。
【請求項５１】
請求項２０に記載の組成物を溶剤組成物として使用することを含んでなる、ｎ−臭化プロピルを含んでなる安定化溶剤組成物の蒸発時に残る残渣の量を低減する方法。
【請求項５２】
請求項２１に記載の組成物を溶剤組成物として使用することを含んでなる、ｎ−臭化プロピルを含んでなる安定化溶剤組成物の蒸発時に残る残渣の量を低減する方法。
【請求項５３】
請求項２２に記載の組成物を溶剤組成物として使用することを含んでなる、ｎ−臭化プロピルを含んでなる安定化溶剤組成物の蒸発時に残る残渣の量を低減する方法。
【請求項５４】
請求項２３に記載の組成物を溶剤組成物として使用することを含んでなる、ｎ−臭化プロピルを含んでなる安定化溶剤組成物の蒸発時に残る残渣の量を低減する方法。
【請求項５５】
請求項２４に記載の組成物を溶剤組成物として使用することを含んでなる、ｎ−臭化プロピルを含んでなる安定化溶剤組成物の蒸発時に残る残渣の量を低減する方法。
【請求項５６】
請求項２５に記載の組成物を溶剤組成物として使用することを含んでなる、ｎ−臭化プロピルを含んでなる安定化溶剤組成物の蒸発時に残る残渣の量を低減する方法。
【請求項５７】
請求項２６に記載の組成物を溶剤組成物として使用することを含んでなる、ｎ−臭化プロピルを含んでなる安定化溶剤組成物の蒸発時に残る残渣の量を低減する方法。
【請求項５８】
請求項２７に記載の組成物を溶剤組成物として使用することを含んでなる、ｎ−臭化プロピルを含んでなる安定化溶剤組成物の蒸発時に残る残渣の量を低減する方法。
【発明の詳細な説明】
【背景技術】
【０００１】
ｎ−臭化プロピル（ＮＰＢ）は商品である。これは電気および機械部品の冷時清浄化（ｃｏｌｄ  ｃｌｅａｎｉｎｇ）を含む種々の用途に有用である。その製造において使用される処理に依って、少なくとも９０重量％のＮＰＢおよび約９８〜９９重量％もの純度のＮＰＢが市場で入手し得る。主な不純物は臭化イソプロピルおよび１，２−ジブロモプロパンであることが多い。
【０００２】
広く商品として受け入れられるためには、ＮＰＢ製品は、日本企業により開発された６０℃安定性試験に合格するということが望まれる。この試験は、ＮＰＢを６０゜オーブン中で３０日間保持し、その酸性度が５ｐｐｍ（ＨＢｒとして計算して）以下にとどまることを要求する。この試験は、ＮＰＢにより肩部まで充填され、テフロンポリマーで蓋をした１００ｍＬのガラス瓶中で空気を除去せずに行われる。６０℃安定性試験にうまく合格するためには、純粋なＮＰＢは試験条件下でプロペンを放出するのと同時にＨＢｒを放出する可能性があり、実際放出するので、好適な安定剤系が必要と考えられる。ＮＰＢ組成物がこの試験に合格する能力によって、この組成物は著しい分解を起こさずに貯蔵および出荷可能となる。また、使用者も、電気および機械部品の冷時清浄化などの適度な温度で行われる種々の操作用の組成物を著しい分解を起こす恐れ無しで使用することができる。
【発明の開示】
【発明が解決しようとする課題】
【０００３】
非安定化ＮＰＢは、種々の冷時清浄化用途に望ましい揮発特性を有する。このように、ＮＰＢ用安定剤系は、６０℃安定性試験時の過度の酸性度発現の防止において有効であるのみならず、加えて、好ましくはＮＰＢの蒸発時の許容され得ない残渣形成に寄与することがあってはならない。
【課題を解決するための手段】
【０００４】
本発明は、なかんずく、あるフェノール系化合物が６０℃安定性試験において極めて低い濃度でＮＢＰを安定化するのに極めて有効であるという発見に関連する。実際、本発明にしたがって使用される代表的なフェノール系化合物によって、ＮＰＢは、他の安定剤添加物成分を含有しないＮＰＢ中で５０ｐｐｍ（ｗｔ／ｗｔ）未満のレベルでしか存在しない場合でもこの試験への合格が可能となるということが試験により示された。事実、本発明の３つの好ましい安定剤は、６０℃安定性試験において０．５ｐｐｍ（ｗｔ／ｗｔ）の濃度で有効であることが見出された。本発明の好ましい安定剤の１つの２，６−ジ−ｔｅｒｔ−ブチル−ｐ−クレゾールは、６０℃安定性試験において１ｐｐｍ（ｗｔ／ｗｔ）のレベルで有効であるということ、そして更にはＮＰＢよりも高沸点であるにも拘わらず、この安定剤は少なくとも１〜３０ｐｐｍの範囲では僅かな量の残渣しか残さず、そして少なくとも約５０ｐｐｍまでの濃度でも多分同様な挙動をするということも見出された。加えて、本発明のある他の好ましい安定剤は、少なくとも１つの１，２−エポキシド、特にブチレンオキシドと共に使用される場合、６０℃安定性試験への合格において相乗的に改善された安定性をもたらすことができることが見出された。
【０００５】
理論により拘束されるのではないが、本発明の支持において行われる実験によって、特に高温暴露時の臭化プロピル中での酸性度の形成は多分酸素により開始されるフリーラジカルプロセスであること、そしてプロペンとＨＢｒは臭化イソプロピルと共に形成され、臭化イソプロピルはプロペンとＨＢｒの再結合により形成されるということが示されていることは注目に値する。それゆえ、ＮＰＢの不純物含量は不安定性の原因でないということが理論上考えられる。置換フェノール系化合物は、安定化量で存在する場合、ｎ−臭化プロピルのプロペンおよびＨＢｒへの分解を最少化あるいは防止すると考えられ、１，２−エポキシドはフリーラジカル過程で形成されるＨＢｒと反応して、最終製品が極めて低い酸性度を有すると考えられる。
【０００６】
６０℃安定性試験への合格能力により実証されるように、本発明のＮＰＢ組成物の増進された安定性は、このＮＰＢ組成物が貯蔵および出荷時に極めて望ましい安定性を保有するのみならず、加えてこの組成物が更に安定化されることを必要とせずに冷時清浄化操作において確実に有効に使用可能であるようにせしめる。更には、蒸発時に僅かな量の残渣しか、またはいかなる量の残渣も残さない本発明の組成物は、冷時清浄化操作における有用性を実質的に増大させる。従って、本発明の他の態様は、本発明のＮＰＢ組成物の最終使用の用途における改善に関する。
【０００７】
本発明の上記および他の特徴および態様は、以下の説明および添付の特許請求の範囲からなお更に明白である。
【発明を実施するための最良の形態】
【０００８】
本発明の一つの態様によれば、安定化量の約５０ｐｐｍ（ｗｔ／ｗｔ）以下の、好ましくは約５ｐｐｍ（ｗｔ／ｗｔ）以下の、そして更に好ましくは約２ｐｐｍ（ｗｔ／ｗｔ）以下の、ベンゼン環に直接結合した１個あるいは２個のヒドロキシル基と、合計６〜１６個の炭素原子を分子中に有する少なくとも１つの単核フェノール系化合物であって、前記少なくとも１つのフェノール系化合物がベンゼン環の芳香族不飽和結合と別の不飽和結合を含まないものがブレンドされたｎ−臭化プロピルからなる溶剤組成物が提供される。好ましい単核フェノール系化合物は、分子中に炭素、水素および酸素原子のみを含有するものである。このような単核フェノール系化合物のいくつかの非限定的な例は、フェノール、カテコール、レゾルシノール、ハイドロキノン、グアヤコール、サリゲニン、カルバクロール、チモール、ｏ−クレゾール、ｍ−クレゾール、ｐ−クレゾール、ｏ−エチルフェノール、ｏ−イソプロピルフェノール、２，６−ジイソプロピルフェノール、ｏ−ｔｅｒｔ−ブチルフェノール、ｐ−ｔｅｒｔ−ブチルフェノールおよびｏ−シクロヘキシルフェノールを含む。
【０００９】
好ましい態様においては、このような単核フェノール系化合物または２つ以上のこのようなフェノール系化合物の組み合わせ物がこのような溶剤組成物の形成において使用される単一の安定剤である。
【００１０】
もう一つの好ましい態様においては、安定化量のＡ）約５０ｐｐｍ（ｗｔ／ｗｔ）以下の、好ましくは約３０ｐｐｍ（ｗｔ／ｗｔ）以下の、更に好ましくは５ｐｐｍ（ｗｔ／ｗｔ）以下の、そしてなお更に好ましくは約２ｐｐｍ（ｗｔ／ｗｔ）以下の、ベンゼン環に直接結合した１個あるいは２個のヒドロキシル基と、合計６〜１６個の炭素原子を分子中に有する少なくとも１つの単核フェノール系化合物であって、前記少なくとも１つのフェノール系化合物がベンゼン環の芳香族不飽和結合と別の不飽和結合を含まないもの；と
Ｂ）１０〜約１０００ｐｐｍ（ｗｔ／ｗｔ）の範囲の、そして好ましくは約１００〜約５００ｐｐｍ（ｗｔ／ｗｔ）の範囲の少なくとも１つの１，２−エポキシド
がブレンドされたｎ−臭化プロピルからなる溶剤組成物が提供される。更なる好ましい態様においては、Ａ）およびＢ）はこのような溶剤組成物の形成において使用される単一の安定剤を構成する。
【００１１】
更にもう一つの好ましい態様においては、本発明は、式
【００１２】
【化１】
2008519093.tif 000002
【００１３】
（式中、
Ａ）Ｒ１およびＲ２は両方とも水素原子であり、そしてＲ３は１〜５個の範囲の（好ましくは１〜３個の範囲の）炭素原子を含有するアルコキシ基であるか；あるいは
Ｂ）Ｒ１はヒドロキシル基であり、Ｒ２は水素原子であり、そしてＲ３は１〜５個の範囲の炭素原子を含有するアルキル基（好ましくはｔｅｒｔ−ブチルまたはｔｅｒｔ−アミル）であるか；あるいは
Ｃ）Ｒ１およびＲ２は両方とも、独立に、アルキル基であって、Ｒ１およびＲ２中の炭素原子の全数が５〜１０個の範囲にあり、Ｒ１およびＲ２の少なくとも１つが三級アルキル基であるものであり、そしてＲ３は水素原子であるか；あるいは
Ｄ）Ｒ１およびＲ２は両方とも、独立に、アルキル基であって、Ｒ１およびＲ２中の炭素原子の全数が５〜１０個の範囲にあり、Ｒ１およびＲ２の少なくとも１つが三級アルキル基であるものであり、そしてＲ３は１あるいは２個の炭素原子を含有するアルキル基である）
の安定化量の約５０ｐｐｍ（ｗｔ／ｗｔ）までの１つ以上の置換フェノール系化合物がブレンドされたｎ−臭化プロピルからなる溶剤組成物を提供する。好ましくは、溶剤組成物の形成において使用されるＡ）、Ｂ）、Ｃ）、および／またはＤ）の１つ以上の置換フェノール系化合物の量は、約０．２５〜約５０ｐｐｍ（ｗｔ／ｗｔ）の範囲に、そして好ましくは約１〜約５ｐｐｍ（ｗｔ／ｗｔ）の範囲にある。
【００１４】
特許請求の範囲を含めてこの文書中のいずれかで使用される「安定化量」とは、溶剤組成物が６０℃の安定性試験に合格することを可能にする量の意味である。
【００１５】
好ましくは、上記の溶剤組成物は全部、ｎ−臭化プロピルの製造の過程で形成される１つ以上の不純物を含有するｎ−臭化プロピルからなる。言い換えれば、好ましい溶剤組成物は、少なくとも９０％の純度の、更に好ましくは少なくとも９８％の純度の、そしてなお更に好ましくは少なくとも９９％の純度のｎ−臭化プロピルを使用することに基づいており、残りは、各々の場合、ｎ−臭化プロピルを製造する工程から生じる１つ以上の不純物であり、そしていかなる他の溶剤も製品に添加しない。
【００１６】
上記のＡ）、Ｂ）、Ｃ）、またはＤ）の好ましい置換フェノール系化合物の非限定的な例は、４−メトキシフェノール、４−エトキシフェノール、４−プロポキシフェノール、４−イソプロポキシフェノール、４−ブトキシフェノール、４−ｔｅｒｔ−ブトキシフェノール、４−ペントキシフェノール、４−メチル−１，２−ジヒドロキシベンゼン、４−エチル−１，２−ジヒドロキシベンゼン、４−プロピル−１，２−ジヒドロキシベンゼン、４−イソブチル−ｌ，２−ジヒドロキシベンゼン、４−ｔｅｒｔ−ブチル−１，２−ジヒドロキシベンゼン、４−ｔｅｒｔ−アミル−１，２−ジヒドロキシベンゼン、２−メチル−６−ｔｅｒｔ−ブチルフェノール、２−エチル−６−ｔｅｒｔ−ブチルフェノール、２−メチル−６−ｔｅｒｔ−アミルフェノール、２−エチル−６−ｔｅｒｔ−アミルフェノール、２−イソプロピル−６−ｔｅｒｔ−ブチルフェノール、２，６−ジ−ｔｅｒｔ−ブチルフェノール、２，６−ジ−ｔｅｒｔ−アミルフェノール、２，４−ジメチル−６−ｔｅｒｔ−ブチルフェノール、２，４−ジエチル−６−ｔｅｒｔ−ブチルフェノール、２−エチル−６−ｔｅｒｔ−ブチルフェノール、２，４−ジメチル−６−ｔｅｒｔ−アミルフェノール、２，４−ジエチル−６−ｔｅｒｔ−アミルフェノール、２−イソプロピル−４−メチル−６−ｔｅｒｔ−ブチルフェノール、２，６−ジ−ｔｅｒｔ−ブチル−４−メチルフェノール、２，６−ジ−ｔｅｒｔ−ブチル−４−エチルフェノールおよび２，６−ジ−ｔｅｒｔ−アミル−４−メチルフェノールを含む。
【００１７】
上記の置換フェノール系化合物のうち、４−メトキシフェノール、４−ｔｅｒｔ−ブチル−１，２−ジヒドロキシベンゼン、２，６−ジ−ｔｅｒｔ−ブチルフェノール、２，６−ジ−ｔｅｒｔ−ブチル−４−メチルフェノールまたはこれらの任意の２つ以上の組み合わせ物の使用が好ましい。２，６−ジ−ｔｅｒｔ−ブチル−４−メチルフェノールが特に好ましい。
【００１８】
６０℃安定性試験に合格し、そして最も好ましくは蒸留または蒸発時に殆ど残渣を生成しないように、安定化溶剤組成物を製造する方法は本発明の更なる態様を構成する。
【００１９】
本発明は、また、その態様の一つにおいて、ｎ−臭化プロピル組成物の安定化における使用に特に適合された添加物組成物も提供する。このように添加物組成物は、（ｉ）上記の式の１つ以上の置換フェノール系化合物および（ｉｉ）１つ以上の１，２−エポキシドを含んでなり、（ｉｉ）：（ｉ）の重量比が約０．２：１〜約２５００：１の範囲、好ましくは約２０：１〜約５００：１の範囲にあり、そして（ｉ）および（ｉｉ）がこのような添加物組成物中の単一の安定剤成分であるものである。他の安定剤成分が添加物組成物中に存在しないという前提ならば、このような組成物は、不活性な溶剤あるいは希釈剤、１つ以上の界面活性剤、１つ以上の染料などの他の成分を含有し得る。
【００２０】
本発明のもう一つの態様は、安定化量の（ｉ）上記の式の１つ以上の置換フェノール系化合物および（ｉｉ）１つ以上の１，２−エポキシドがブレンドされたｎ−臭化プロピルからなる溶剤組成物である。用語１，２−エポキシドは、この環が１−および２位において炭素原子を包含しなければならないということを意味するのでなく；代わりにこれはこのエポキシド（環状エーテル）が環中に４個の原子でなく、環中に３個の原子を有するということを意味するということを注目すべきである。通常、溶剤組成物の形成において使用される（ｉ）の１つ以上の置換フェノール系化合物の量は、約０．２５〜約５０ｐｐｍ（ｗｔ／ｗｔ）の範囲、好ましくは約１〜約５ｐｐｍ（ｗｔ／ｗｔ）の範囲にあり、そして溶剤組成物の形成において使用される（ｉｉ）の１つ以上のエポキシドの量は、約１０〜約１０００ｐｐｍ（ｗｔ／ｗｔ）の範囲、好ましくは約１００〜約５００ｐｐｍ（ｗｔ／ｗｔ）の範囲にある。
【００２１】
上記の置換フェノール系化合物との組み合わせで使用可能な１，２−エポキシドの非限定的な例は、（ａ）約８個までの炭素原子のアルキレンオキシドおよび／またはシクロアルキレンオキシド、例えばプロピレンオキシド、ブチレンオキシド、ペンテンオキシド、ヘキセンオキシド、ヘプテンオキシド、オクテンオキシド、シクロペンテンオキシド、シクロヘキセンオキシド、メチル−１，２−シクロペンテンオキシドまたは約８個までの炭素原子の２つ以上のアルキレンオキシドからなる混合物；または（ｂ）約８個までの炭素原子を含有するグリシジルエーテルおよび／またはグリシジルエステル、例えば、グリシジルメチルエーテル、グリシジルイソプロピルエーテル、グリシジルイソブチルエーテル、グリシジルペンチルエーテル、グリシジルメタクリレート、グリシジルブチレート、グリシジルバレレートまたは約８個までの炭素原子を含有する２つ以上のグリシジルエーテルおよび／またはグリシジルエステルからなる混合物；または（ｃ）カテゴリー（ａ）の少なくとも１つのエポキシドおよびカテゴリー（ｂ）の少なくとも１つのエポキシドの混合物を含む。カテゴリー（ａ）、（ｂ）および（ｃ）のうちで、カテゴリー（ａ）の１つ以上のアルキレンオキシドおよび／またはシクロアルキレンオキシドの上記置換フェノール系化合物と共の使用が好ましく、１つ以上のアルキレンオキシドの上記置換フェノール系化合物と共の使用が更に好ましい。なお更に好ましいのは、ブチレンオキシドが１，２−エポキシブタンまたは２，３−エポキシブタンまたは両方の混合物であるかどうかとは無関係でこれらの組み合わせにおけるブチレンオキシドの使用である。
【００２２】
１つ以上の１，２−エポキシドが上記の置換フェノール系化合物の１つ以上との組み合わせで使用される好ましい組成物は、４−メトキシフェノール、４−ｔｅｒｔ−ブチル−ｌ，２−ジヒドロキシベンゼン、２，６−ジ−ｔｅｒｔ−ブチルフェノールまたは２，６−ジ−ｔｅｒｔ−ブチル−４−メチルフェノールである。特に好ましい組み合わせはこの明細書中の実施例に示される。
【００２３】
本発明の安定剤がブレンドされる溶剤組成物はｎ−臭化プロピルからなる。通常、主成分（すなわち、大量または最大量で存在する成分）はｎ−臭化プロピルである。好ましくは、この溶剤組成物の液体溶剤（すなわち、この中に存在する添加物の考慮を除いて）の５０重量％以上はｎ−臭化プロピル（ＮＰＢ）である。好ましくは、この溶剤組成物は、少なくとも８０重量％の、更に好ましくは約９８〜９９重量％ものＮＰＢを含有する。このような組成物中の主な不純物は臭化イソプロピル（ＩＰＢ）と１，２−ジブロモプロパン（ＤＢＰ）である。しかしながら、添加物を除いて、（Ｉ）少なくとも９０重量％（好ましくは少なくとも９８重量％の純度、そして更に好ましくは少なくとも９９％の純度）の純度の５０重量％以上のＮＰＢ（好ましくは８０重量％以上のＮＰＢ、そして更に好ましくは９０重量％以上のＮＰＢ）と、（ＩＩ）５０重量％未満（好ましくは２０重量％未満、そして更に好ましくは１０重量％未満）の１つ以上の液体飽和炭化水素および／またはＮＰＢ、ＩＰＢおよびＤＢＰ以外の液体ハロカーボンまたは液体ハロ炭化水素などの他の既知の溶剤成分を含有する溶剤組成物は本発明にしたがって安定化され得る。この関連で、引用により本明細書に組み込まれている、このタイプの好ましい組成物を記述する米国特許第５，６９０，８６２号を参照のこと。
【００２４】
成分を一緒にブレンドする方法は当分野の通常の技術者にはよく知られている。少なくとも１つの置換フェノール系化合物と少なくとも１つの１，２−エポキシドの両方を含有するブレンドを製造する場合、これらの成分は、少なくとも１つの置換フェノール系化合物と少なくとも１つの１，２−エポキシドの組み合わせ物からなる安定剤が使用可能である本発明の溶剤組成物あるいは添加物組成物と別々にブレンド可能である。両方のタイプの安定剤を使用することが望まれる場合には、このような予め形成された添加物の使用はブレンド操作を単純化し、そしてブレンド操作における誤差の可能性を最小化するので、後者のアプローチが好ましい。
【００２５】
本発明の利点は、５０ｐｐｍ以下の置換フェノール系化合物、好ましくは３０ｐｐｍ以下の置換フェノール系化合物、そして更に好ましくは５ｐｐｍ以下の置換フェノール系化合物、そしてなお更に好ましくは２ｐｐｍ以下の置換フェノール系化合物（すべてのｐｐｍ値はｗｔ／ｗｔである）が使用される溶剤組成物の中に組み込まれるだけであるのも拘わらず、有効な安定化が６０℃安定性試験において達成可能であるということである。実際、この明細書中で後で示すように、１ｐｐｍ以下の少なくとも一部の置換フェノール系化合物が充分に高い純度のＮＰＢと共に使用可能である。更には、このように優れた有効性のために、カテゴリーＡ）、Ｂ）、Ｃ）および／またはＤ）の１つ以上の置換フェノール系化合物以外のいかなる安定剤成分も使用することは必要でなく、上記に引用した１つ以上の１，２−エポキシドは場合によって使用されるか、あるいは使用されない。事実、これらの溶剤組成物がニトロアルケン（例えば、ニトロメタン、ニトロエタンなど）、Ｎ−アルキルモルホリン、アミン、ジオキサン、ジオキソランおよびＮＰＢ用の他の既知の安定剤などの他の安定剤を含まないようにすることが本発明によれば特に好ましい。このように、本発明の特に好ましい態様においては、この溶剤組成物において使用される安定剤系は、この明細書中で述べられる置換フェノール系化合物と、場合によってはこの明細書中で述べられる１，２−エポキシドからなる。言い換えれば、これらの特に好ましい組成物は、１つ以上のこの明細書中で述べられる置換フェノール系化合物と、場合によっては１つ以上のこの明細書中で述べられる１，２−エポキシド以外のいかなる安定剤成分も含まない。
【００２６】
このような成分によってこの組成物の６０℃安定性試験への合格が妨げられることがないならば、界面活性剤、染料および他の非安定剤成分が本発明の組成物中に含まれ得る。
【００２７】
次の実施例は例示の目的で提示されるものであり、本発明の包括的な範囲の限定の目的で提示されるものでない。
【実施例】
【００２８】
実施例１、２および５におけるｎ−臭化プロピルのガスクロマトグラフィ分析をスプリットインジェクター、フレームイオン化検出器および３５℃で動作される３０Ｍ×０．５３ｍｍ×３μｍＤＢ−６２４キャピラリーカラムを備えたＨｅｗｌｅｔｔ−Ｐａｃｋａｒｄ  ５８９０ガスクロマトグラフで行った。温度を３５℃で８分間保持し、次に１０℃／分で２３０℃まで上昇させ、終りに３分間保った。カラムヘッド圧力は４．５ｐｓｉｇであり、そしてＨｅの全流量は７５ｍＬ／分であった。０．５μｌのニート試料の注入容積を使用した。
【００２９】
実施例１〜６において使用された６０℃安定性試験を次のように行った：約１６０グラムの量の試験対象のｎ−臭化プロピル（ＮＰＢ）組成物を４液量オンス（１１８ｍＬ）のＢｏｓｔｏｎ  Ｒｏｕｎｄねじ蓋の瓶中に入れた。自由ヘッドスペースから空気を追い出さずに瓶用のテフロンポリマーライニングの蓋をした。蓋をした瓶を開くことなく６０℃のオーブン中で３０日間保持した。次に、この試料を室温まで冷却し、その後酸性度を定量した。酸性度の分析は、８０〜１２０グラムの冷却された試験試料を３０〜５０ｍＬの超純水と振盪し、続いて相分離し、水相を０．０１ＮＮａＯＨによりフェノールフタレイン終点まで滴定することを含むものであった。
実施例１
【００３０】
８ｐｐｍ（ＨＢｒとして計算して）の酸性度を有し、そしてＧＣ分析により２９ｐｐｍの臭化イソプロピル、１５ｐｐｍのプロペンおよび２６ｐｐｍの水を含有する精製ｎ−臭化プロピル（Ｓｉｇｍａ−Ａｌｄｒｉｃｈ  Ｃｏｍｐａｎｙ）から本発明の組成物を形成した。４０ｐｐｍの２，６−ジ−ｔｅｒｔ−ブチル−４−メチルフェノールをこのｎ−臭化プロピル中に組み込んだ。この組成物を６０℃安定性試験にかけた。この製品は、試験の完了時に４．９ｐｐｍ（ＨＢｒとして計算して）の最終酸性度、６．８ｐｐｍのプロペンおよび１８ｐｐｍの臭化イソプロピル（ＩＰＢ）を有することが判明した。非安定化ｎ−臭化プロピルは９１．０ｐｐｍ（ＨＢｒとして計算して）の最終酸性度を呈し、そしてＧＣ分析は２８２ｐｐｍのプロペンおよび４００ｐｐｍの臭化イソプロピルの存在を示した。
実施例２
【００３１】
実施例１の手順を用いて、ＧＣ分析により６ｐｐｍの臭化イソプロピルおよび２８ｐｐｍのプロペンを含有するシリカゲル処理ｎ−臭化プロピル（ＮＰＢ）から一連の本発明の組成物を作製した。このＮＰＢは０．６ｐｐｍ（ＨＢｒとして計算して）の酸性度を有していた。６０℃安定性試験の結果および本発明の組成物ならびに試験されたコントロール組成物を表１に要約する。
【００３２】
【表１】
2008519093.tif 000003
実施例３
【００３３】
ＧＣ分析により１６３ｐｐｍの臭化イソプロピル、６０ｐｐｍのプロペンおよび４０ｐｐｍのブロモアセトンを含有する、水洗され、シリカゲル上で乾燥されたｎ−臭化プロピルを用いて、実施例２の手順を繰り返した。表２は試験された組成物および６０℃安定性試験で得られる結果を示す。表２中で（そして以降の表３〜５中で）、「ＢＡ」はブロモアセトンを表し、そして「ＤＢＰ」は１，２−ジブロモプロパンを表す。
【００３４】
【表２】
2008519093.tif 000004
実施例４
【００３５】
２ｐｐｍ（ＨＢｒとして計算して）の酸性度を有し、そしてＧＣ分析により２６３ｐｐｍの臭化イソプロピルおよび２ｐｐｍのプロペンを含有するｎ−臭化プロピルを用いて、実施例２の手順を繰り返した。表３は試験された組成物および６０℃安定性試験で得られる結果を示す。
【００３６】
【表３】
2008519093.tif 000005
実施例５
【００３７】
６ｐｐｍ（ＨＢｒとして計算して）の酸性度を有し、そしてＧＣ分析により８４ｐｐｍの臭化イソプロピルおよび１ｐｐｍのプロペンを含有するｎ−臭化プロピルを用いて、実施例２の手順を繰り返した。表４は試験された組成物および６０℃安定性試験で得られる結果を示す。表４中で（そして以降の表５中で）、特定の試験製品についてＧＣ分析を行わなかった限りでは、「ｎｄ」は定量しなかったことを意味する。
【００３８】
【表４】
2008519093.tif 000006
実施例６
【００３９】
ＧＣ分析により１９６ｐｐｍの臭化イソプロピルおよび２ｐｐｍのプロペンを含有するｎ−臭化プロピルを用いて、実施例２の手順を繰り返した。表５は試験された組成物および６０℃安定性試験で得られる結果を示す。
【００４０】
【表５】
2008519093.tif 000007
【００４１】
実施例２〜６から、種々のＮＰＢ溶剤組成物中で１ｐｐｍの濃度で、更には１ｐｐｍ以下の濃度で単一の安定剤として使用する場合、本発明の置換フェノール系安定剤は、この組成物の６０℃安定性試験への合格を可能とせしめることが判る。実施例２〜６から、少なくともいくつかの場合において、ブチレンオキシドなどの１，２−エポキシドを含めることによって、６０℃安定性試験における相乗的な改善を得ることができることも判る。
【００４２】
実施例７で不揮発性残渣試験を使用した。この試験の手順は次の通りである：既知の重量の乾燥した蒸発皿に１００ｍＬの試験対象の試料を添加する。この皿を再度秤量し、試料が蒸発乾固されるまで加熱ランプの下に置く。この皿を１０５℃のオーブン中に１時間置き、デシケーター中で冷却し、そして最終の秤量を行う。出発の正味重量に対する最終の正味重量の比からパーツ・パー・ミリオンｗｔ／ｗｔでの不揮発性残渣を計算する。
実施例７
【００４３】
非安定化の市販ｎ−臭化プロピルを用いる一群の試験において、種々の濃度の２，６−ジ−ｔｅｒｔ−ブチル−４−メチルフェノール（ＢＨＴ）をブレンドし、そして上述の不揮発性残渣試験を用いて得られる安定化ｎ−臭化プロピル組成物の二重の試料を不揮発性残渣について試験した。試験された組成物および得られる結果を表６に要約する。
【００４４】
【表６】
2008519093.tif 000008
【００４５】
表１〜６に示す結果から、本発明によって、６０℃安定性試験に合格することが可能であり、そして同時に僅かな量の不揮発性残渣しか残さない組成物が得られることが判る。好ましくない結果が得られる場合には、要求されることは、本発明の実施により達成可能な必要とされる安定性と好ましくは最少の不揮発性残渣が得られるように、使用される本発明の安定剤の量または構成を調整することに尽きる。
【００４６】
本発明の支持において行われた実験の過程で、純粋なＮＰＢ（臭化イソプロピル、プロペンおよび水の各々が＜３０ｐｐｍであり、他の顕著な不純物がない）が不安定であり、６０℃安定性試験時に７０〜２００＋ｐｐｍのＨＢｒを形成するということが見出された。この試験を行った後のＮＰＢの分析は、大量のプロペン（４００ｐｐｍまでの）および臭化イソプロピル（１１００ｐｐｍまでの）ならびに約１００ｐｐｍのブロモアセトンおよび１，２−ジブロモプロパンも生成したことを示した。明らかに、このＨＢｒおよびプロペンはＮＰＢから形成され、そしてこの臭化イソプロピルはＨＢｒとプロペンとの反応において形成される。このことは、ブチレンオキシドを添加した試験において、ＨＢｒはプロペンよりもブチレンオキシドと速く反応するので、プロペンがなお生成するが、臭化イソプロピルが生成しないという観察により確認される。
【００４７】
この明細書またはこのクレーム中のどこであれ化学名または式により呼ばれる成分は、単数あるいは複数で呼ばれようとも、化学名または化学型により呼ばれる別の物質（例えば、溶剤または希釈剤など）との接触前にこれらが存在したように識別されることを理解するべきである。このような変化は、この特定された反応試剤および／または成分を本開示にしたがって要求される条件下に合体することの自然の結果であるので、生成する混合物または溶液においてどのような予備的な化学的な変化、変形および／または反応が起こるかは問題でない。このように、反応試剤および他の材料は、本発明の混合物または組成物の形成に関連して合体されるべき成分として識別される。また、この特許請求の範囲は、物質、構成成分および／または成分を現在形（「含んでなる」、「である」、など）で呼ぶこともあるが、物質または成分は、この開示により１つ以上の他の物質または成分と最初に接触、ブレンドあるいは混合された直前にそれが存在したように呼ばれる。このように、物質または成分が化学反応または変形または錯体形成またはこのような接触により、あるいはブレンドまたは混合操作の過程の間に他の化学的な形をとることにより、元の同一性を失うこともあるという事実は、これらの開示および特許請求の範囲の正確な理解および評価のためには全く重要でない。
【００４８】
特記しない限り、単数表示の物品は、この明細書で使用される場合には、そしてこの明細書で使用されるように、この物品が参照する単一の要素に説明または特許請求を限定するように意図されたものでなく、そして限定的とみなされるべきでない。むしろ、特記しない限り、単数表示の物品は、この明細書で使用される場合には、そしてこの明細書で使用されるように１つ以上のこのような要素を網羅するように意図されたものである。
【００４９】
本発明はこの実施によりかなりの変更を受け易い。それゆえ、前出の説明は、発明を上記に提示した特定の例示に限定することを意図したものでなく、そして限定的であると考えられるべきでない。むしろ、網羅を意図したものは、添付の特許請求の範囲において説明される通りであり、そして法律問題として許容されるこれらの均等物である。
【手続補正書】
【提出日】平成19年10月19日(2007.10.19)
【手続補正１】
【補正対象書類名】特許請求の範囲
【補正対象項目名】全文
【補正方法】変更
【補正の内容】
【特許請求の範囲】
【請求項１】
ベンゼン環に直接結合した１個あるいは２個のヒドロキシル基と、合計６〜１６個の炭素原子を分子中に有する、安定化量の約５０ｐｐｍ（ｗｔ／ｗｔ）以下の少なくとも１つの単核フェノール系化合物であって、前記少なくとも１つのフェノール系化合物がベンゼン環の芳香族不飽和結合と別の不飽和結合を含まないものがブレンドされたｎ−臭化プロピルを含んでなる組成物。
【請求項２】
前記量が約５ｐｐｍ（ｗｔ／ｗｔ）以下である請求項１に記載の組成物。
【請求項３】
単核フェノール系化合物が前記組成物の形成において使用される単一の安定剤であるか、あるいは単核フェノール系化合物類が前記組成物の形成において使用される単一の安定剤類である請求項１〜２に記載の組成物。
【請求項４】
１０〜約１０００ｐｐｍ（ｗｔ／ｗｔ）の範囲の少なくとも１つの１，２−エポキシドが存在する請求項１に記載の組成物。
【請求項５】
前記組成物の形成に使用される前記フェノール系化合物の量が約３０ｐｐｍ（ｗｔ／ｗｔ）以下である請求項４に記載の組成物。
【請求項６】
前記フェノール系化合物が
式
【化１】
2008519093.tif 000012
（式中、
Ａ）Ｒ１およびＲ２は両方とも水素原子であり、そしてＲ３は１〜５個の範囲の炭素原子を含有するアルコキシ基であるか；あるいは
Ｂ）Ｒ１はヒドロキシル基であり、Ｒ２は水素原子であり、そしてＲ３は１〜５個の範囲の炭素原子を含有するアルキル基であるか；あるいは
Ｃ）Ｒ１およびＲ２は両方とも、独立に、アルキル基であって、Ｒ１およびＲ２中の炭素原子の全数が５〜１０個の範囲にあり、Ｒ１およびＲ２の少なくとも１つが三級アルキル基であるものであり、そしてＲ３は水素原子であるか；あるいは
Ｄ）Ｒ１およびＲ２は両方とも、独立に、アルキル基であって、Ｒ１およびＲ２中の炭素原子の全数が５〜１０個の範囲にあり、Ｒ１およびＲ２の少なくとも１つが三級アルキル基であるアルキル基であるものであり、そしてＲ３は１あるいは２個の炭素原子を含有する）
の構造を有する、組成物。
【請求項７】
前記１つ以上の置換フェノール系化合物が請求項６中の式の化合物であり、式中、Ｒ１およびＲ２は両方とも水素原子であり、そしてＲ３は１〜５個の範囲の炭素原子を含有するアルコキシ基である請求項６に記載の組成物。
【請求項８】
前記１つ以上の置換フェノール系化合物が請求項６中の式の化合物であり、式中、Ｒ１はヒドロキシル基であり、Ｒ２は水素原子であり、そしてＲ３は１〜５個の範囲の炭素原子を含有するアルコキシ基である請求項６に記載の組成物。
【請求項９】
前記１つ以上の置換フェノール系化合物が請求項６中の式の化合物であり、式中、Ｒ１およびＲ２は、両方とも、独立に、アルキル基であって、Ｒ１およびＲ２中の炭素原子の全数が５〜１０個の範囲にあり、Ｒ１およびＲ２の少なくとも１つが三級アルキル基であるものであり、そしてＲ３は水素原子である請求項６に記載の組成物。
【請求項１０】
前記１つ以上の置換フェノール系化合物が請求項６中の式の化合物であり、式中、Ｒ１およびＲ２は、両方とも、独立に、アルキル基であって、Ｒ１およびＲ２中の炭素原子の全数が５〜１０個の範囲にあり、Ｒ１およびＲ２の少なくとも１つが三級アルキル基であるものであり、そしてＲ３は１または２個の範囲の炭素原子を含有するアルコキシ基である請求項６に記載の組成物。
【請求項１１】
前記１つ以上の置換フェノール系化合物が４−メトキシフェノール、４−ｔｅｒｔ−ブチル−１，２−ジヒドロキシベンゼン、２，６−ジ−ｔｅｒｔ−ブチルフェノール、２，６−ジ−ｔｅｒｔ−ブチル−４−メチルフェノールまたはこれらの置換フェノール系化合物の任意の２つ以上の組み合わせ物である請求項６に記載の組成物。
【請求項１２】
前記安定化量が約３０ｐｐｍ（ｗｔ／ｗｔ）以下である請求項６〜１１のいずれかに記載の組成物。
【請求項１３】
前記組成物が約１０〜約１０００ｐｐｍ（ｗｔ／ｗｔ）の範囲の１つ以上の１，２−エポキシドを更に含んでなり、そして前記１つ以上の置換フェノール系化合物および前記１つ以上の１，２−エポキシドが前記組成物中で単一の（ｓｏｌｅ）安定化成分である請求項６〜１１のいずれかに記載の組成物。
【請求項１４】
前記１つ以上の１，２−エポキシドが約８個までの炭素原子の１つ以上のアルキレンオキシドおよび／またはシクロアルキレンオキシドである請求項１３に記載の組成物。
【請求項１５】
前記１つ以上の１，２−エポキシドが約８個までの炭素原子の１つ以上のグリシジルエーテルおよび／またはグリシジルエステルである請求項１３に記載の組成物。
【請求項１６】
主成分としてｎ−臭化プロピルを含んでなる溶剤組成物を安定化する方法であって、
式
【化２】
2008519093.tif 000013
（式中、
Ａ）Ｒ１およびＲ２は両方とも水素原子であり、そしてＲ３は１〜５個の範囲の炭素原子を含有するアルコキシ基であるか；あるいは
Ｂ）Ｒ１はヒドロキシル基であり、Ｒ２は水素原子であり、そしてＲ３は１〜５個の範囲の炭素原子を含有するアルキル基であるか；あるいは
Ｃ）Ｒ１およびＲ２は両方とも、独立に、アルキル基であって、Ｒ１およびＲ２中の炭素原子の全数が５〜１０個の範囲にあり、Ｒ１およびＲ２の少なくとも１つが三級アルキル基であるものであり、そしてＲ３は水素原子であるか；あるいは
Ｄ）Ｒ１およびＲ２は両方とも、独立に、アルキル基であって、Ｒ１およびＲ２中の炭素原子の全数が５〜１０個の範囲にあり、Ｒ１およびＲ２の少なくとも１つが三級アルキル基であるものであり、そしてＲ３は１あるいは２個の炭素原子を含有するアルキル基である）
の安定化量の約５０ｐｐｍ（ｗｔ／ｗｔ）までの１つ以上の置換フェノール系化合物を前記溶剤組成物とブレンドすることを含んでなる方法。
【請求項１７】
前記安定化量が約３０ｐｐｍ（ｗｔ／ｗｔ）以下である請求項１６に記載の方法。
【請求項１８】
前記１つ以上の置換フェノール系化合物が４−メトキシフェノール、４−ｔｅｒｔ−ブチル−１，２−ジヒドロキシベンゼン、２，６−ジ−ｔｅｒｔ−ブチルフェノール、２，６−ジ−ｔｅｒｔ−ブチル−４−メチルフェノールまたはこれらの置換フェノール系化合物の任意の２つ以上の組み合わせ物である請求項１６〜１７のいずれかに記載の方法。
【請求項１９】
約１０〜約１０００ｐｐｍ（ｗｔ／ｗｔ）の範囲の１つ以上の１，２−エポキシドを前記溶剤組成物とブレンドすることを更に含んでなり、前記１つ以上の置換フェノール系化合物と前記１つ以上の１，２−エポキシドが前記溶剤組成物中で単一の安定化成分である請求項１６〜１７のいずれかに記載の方法。
【請求項２０】
ｎ−臭化プロピル組成物の安定化での使用に特に適合されている添加物組成物であって、
（ｉ）式
【化３】
2008519093.tif 000014
（式中、
Ａ）Ｒ１およびＲ２は両方とも水素原子であり、そしてＲ３は１〜５個の範囲の炭素原子を含有するアルコキシ基であるか；あるいは
Ｂ）Ｒ１はヒドロキシル基であり、Ｒ２は水素原子であり、そしてＲ３は１〜５個の範囲の炭素原子を含有するアルキル基であるか；あるいは
Ｃ）Ｒ１およびＲ２は両方とも、独立に、アルキル基であって、Ｒ１およびＲ２中の炭素原子の全数が５〜１０個の範囲にあり、Ｒ１およびＲ２の少なくとも１つが三級アルキル基であるものであり、そしてＲ３は水素原子であるか；あるいは
Ｄ）Ｒ１およびＲ２は両方とも、独立に、アルキル基であて、Ｒ１およびＲ２中の炭素原子の全数が５〜１０個の範囲にあり、Ｒ１およびＲ２の少なくとも１つが三級アルキル基であるものであり、そしてＲ３は１あるいは２個の炭素原子を含有するアルキル基である）
の１つ以上の置換フェノール系化合物；と
（ｉｉ）１つ以上の１，２−エポキシド
を含んでなり、（ｉｉ）：（ｉ）の重量比が約０．２：１〜約２５００：１の範囲にあり；そして（ｉ）および（ｉｉ）が前記添加物組成物中の単一の安定剤成分である組成物。
【請求項２１】
前記重量比が約２０：１〜約５００：１の範囲にある請求項２０に記載の添加物組成物。
【請求項２２】
溶剤が、ベンゼン環に直接結合した１個あるいは２個のヒドロキシル基と、合計６〜１６個の炭素原子を分子中に有する、安定化量の約５０ｐｐｍ（ｗｔ／ｗｔ）以下の少なくとも１つの単核フェノール系化合物あって、前記少なくとも１つのフェノール系化合物がベンゼン環の芳香族不飽和結合と別の不飽和結合を含まないものがブレンドされたｎ−臭化プロピルを含む組成物であることを特徴とする、溶剤により基板を冷時清浄化する方法。
【請求項２３】
ベンゼン環に直接結合した１個あるいは２個のヒドロキシル基と、合計６〜１６個の炭素原子を分子中に有する、安定化量の約５０ｐｐｍ（ｗｔ／ｗｔ）以下の少なくとも１つの単核フェノール系化合物あって、前記少なくとも１つのフェノール系化合物がベンゼン環の芳香族不飽和結合と別の不飽和結合を含まないものがブレンドされたｎ−臭化プロピルを含む組成物を溶剤組成物として使用することを含んでなる、ｎ−臭化プロピルを含んでなる安定化溶剤組成物の蒸発時に残る残渣の量を低減する方法。
【請求項２４】
前記量が約５ｐｐｍ（ｗｔ／ｗｔ）以下である請求項２２の方法
【請求項２５】
一の前記単核フェノール化合物が前記組成物の形成において使用される単一の安定化剤であるか、複数の前記単核フェノール化合物が前記組成物の形成において使用される単一の安定化剤である、請求項２２中に記載された組成物。
【請求項２６】
１０〜約１０００ｐｐｍ（ｗｔ／ｗｔ）の範囲の少なくとも１つの１，２−エポキシドが存在する、請求項２２中に記載された組成物。
【請求項２７】
前記組成物の形成において使用される前記フェノール系化合物の量が約３０ｐｐｍ（ｗｔ／ｗｔ）以下である、請求項２６に記載の組成物。
【請求項２８】
前記フェノール系化合物が
式
【化３】
2008519093.tif 000015
（式中、
Ａ）Ｒ１およびＲ２は両方とも水素原子であり、そしてＲ３は１〜５個の範囲の炭素原子を含有するアルコキシ基であるか；あるいは
Ｂ）Ｒ１はヒドロキシル基であり、Ｒ２は水素原子であり、そしてＲ３は１〜５個の範囲の炭素原子を含有するアルキル基であるか；あるいは
Ｃ）Ｒ１およびＲ２は両方とも、独立に、アルキル基であって、Ｒ１およびＲ２中の炭素原子の全数が５〜１０個の範囲にあり、Ｒ１およびＲ２の少なくとも１つが三級アルキル基であるものであり、そしてＲ３は水素原子であるか；あるいは
Ｄ）Ｒ１およびＲ２は両方とも、独立に、アルキル基であて、Ｒ１およびＲ２中の炭素原子の全数が５〜１０個の範囲にあり、Ｒ１およびＲ２の少なくとも１つが三級アルキル基であるものであり、そしてＲ３は１あるいは２個の炭素原子を含有するアルキル基である）
の構造を有する、請求項２２中に記載された組成物。
【請求項２９】
前記１つ以上の置換フェノール系化合物が４−メトキシフェノール、４−ｔｅｒｔ−ブチル−１，２−ジヒドロキシベンゼン、２，６−ジ−ｔｅｒｔ−ブチルフェノール、２，６−ジ−ｔｅｒｔ−ブチル−４−メチルフェノールまたはこれらの置換フェノール系化合物の任意の２つ以上の組み合わせ物である請求項２８に記載の組成物。
【請求項３０】
前記安定化量が約３０ｐｐｍ（ｗｔ／ｗｔ）以下である、請求項２８記載の組成物。
【請求項３１】
約１０〜約１０００ｐｐｍ（ｗｔ／ｗｔ）の範囲の少なくとも１つの１，２−エポキシドが存在する、請求項２８記載の組成物。
【請求項３２】
前記１つ以上の１，２−エポキシドが約８個までの炭素原子の１つ以上のアルキレンオキシドおよび／またはシクロアルキレンオキシドである請求項３１に記載の組成物。
【請求項３３】
前記１つ以上の１，２−エポキシドが約８個までの炭素原子の１つ以上のグリシジルエーテルおよび／またはグリシジルエステルである請求項３１に記載の組成物。
【請求項３４】
前記量が約５ｐｐｍ（ｗｔ／ｗｔ）以下である、請求項２３中に記載された組成物。
【請求項３５】
一の前記単核フェノール化合物が前記組成物の形成において使用される単一の安定化剤であるか、複数の前記単核フェノール化合物が前記組成物の形成において使用される単一の安定化剤である、請求項２３中に記載された組成物。
【請求項３６】
１０〜約１０００ｐｐｍ（ｗｔ／ｗｔ）の範囲の少なくとも１つの１，２−エポキシドが存在する、請求項２３中に記載された組成物。
【請求項３７】
前記フェノール系化合物が
式
【化３】
2008519093.tif 000016
（式中、
Ａ）Ｒ１およびＲ２は両方とも水素原子であり、そしてＲ３は１〜５個の範囲の炭素原子を含有するアルコキシ基であるか；あるいは
Ｂ）Ｒ１はヒドロキシル基であり、Ｒ２は水素原子であり、そしてＲ３は１〜５個の範囲の炭素原子を含有するアルキル基であるか；あるいは
Ｃ）Ｒ１およびＲ２は両方とも、独立に、アルキル基であって、Ｒ１およびＲ２中の炭素原子の全数が５〜１０個の範囲にあり、Ｒ１およびＲ２の少なくとも１つが三級アルキル基であるものであり、そしてＲ３は水素原子であるか；あるいは
Ｄ）Ｒ１およびＲ２は両方とも、独立に、アルキル基であて、Ｒ１およびＲ２中の炭素原子の全数が５〜１０個の範囲にあり、Ｒ１およびＲ２の少なくとも１つが三級アルキル基であるものであり、そしてＲ３は１あるいは２個の炭素原子を含有するアルキル基である）
の構造を有する、請求項２３中に記載された組成物。
【請求項３８】
前記１つ以上の置換フェノール系化合物が４−メトキシフェノール、４−ｔｅｒｔ−ブチル−１，２−ジヒドロキシベンゼン、２，６−ジ−ｔｅｒｔ−ブチルフェノール、２，６−ジ−ｔｅｒｔ−ブチル−４−メチルフェノールまたはこれらの置換フェノール系化合物の任意の２つ以上の組み合わせ物である請求項３７に記載の組成物。
【請求項３９】
前記安定化量が約３０ｐｐｍ（ｗｔ／ｗｔ）以下である、請求項３７記載の組成物。
【請求項４０】
約１０〜約１０００ｐｐｍ（ｗｔ／ｗｔ）の範囲の少なくとも１つの１，２−エポキシドが存在する、請求項３７に記載の組成物。
【請求項４１】
前記１つ以上の１，２−エポキシドが約８個までの炭素原子の１つ以上のアルキレンオキシドおよび／またはシクロアルキレンオキシドである請求項４０に記載の組成物。
【請求項４２】
前記１つ以上の１，２−エポキシドが約８個までの炭素原子の１つ以上のグリシジルエーテルおよび／またはグリシジルエステルである請求項４０に記載の組成物。
【請求項４３】
前記フェノール系化合物、及び随時１つ以上の１，２−エポキシド、が前記組成物の単一の安定化剤である請求項１に記載の組成物。
【請求項４４】
１０〜約１０００ｐｐｍ（ｗｔ／ｗｔ）の範囲の少なくとも１つの１，２−エポキシドが存在する、請求項４３に記載の組成物。
【請求項４５】
Ｒ３が１〜３個の範囲の炭素原子を含有するアルコキシ基である請求項７に記載の組成物。
【請求項４６】
Ｒ３がｔｅｒｔ−ブチル基またはｔｅｒｔ−アミル基である請求項８に記載の組成物。
【請求項４７】
Ａ）中のＲ３が１〜３個の範囲の炭素原子を含有するアルコキシ基である請求項２０に記載の添加物組成物。
【請求項４８】
Ｂ）中のＲ３がｔｅｒｔ−ブチル基またはｔｅｒｔ−アミル基である請求項２０に記載の添加物組成物。
【手続補正２】
【補正対象書類名】明細書
【補正対象項目名】０００４
【補正方法】変更
【補正の内容】
【０００４】
本発明は、なかんずく、あるフェノール系化合物が６０℃安定性試験において極めて低い濃度でＮＰＢを安定化するのに極めて有効であるという発見に関連する。実際、本発明にしたがって使用される代表的なフェノール系化合物によって、ＮＰＢは、他の安定剤添加物成分を含有しないＮＰＢ中で５０ｐｐｍ（ｗｔ／ｗｔ）未満のレベルでしか存在しない場合でもこの試験への合格が可能となるということが試験により示された。事実、本発明の３つの好ましい安定剤は、６０℃安定性試験において０．５ｐｐｍ（ｗｔ／ｗｔ）の濃度で有効であることが見出された。本発明の好ましい安定剤の１つの２，６−ジ−ｔｅ
ｒｔ−ブチル−ｐ−クレゾールは、６０℃安定性試験において１ｐｐｍ（ｗｔ／ｗｔ）のレベルで有効であるということ、そして更にはＮＰＢよりも高沸点であるにも拘わらず、この安定剤は少なくとも１〜３０ｐｐｍの範囲では僅かな量の残渣しか残さず、そして少なくとも約５０ｐｐｍまでの濃度でも多分同様な挙動をするということも見出された。加えて、本発明のある他の好ましい安定剤は、少なくとも１つの１，２−エポキシド、特にブチレンオキシドと共に使用される場合、６０℃安定性試験への合格において相乗的に改善された安定性をもたらすことができることが見出された。
【国際調査報告】
2008519093.tif 000017
2008519093.tif 000018
2008519093.tif 000019